(57)【要約】【課題】隣接する歯を傷つけない可撤性義歯構造を提供する。【解決手段】人体の口腔歯牙に使用する内、外冠体２０，３０を具えた可撤性義歯構造であって、その歯冠は底部面４１、外周面４２、頂面４３を具え、頂面４３と外周面４２の交わる箇所からレスト４４を平に延伸し、レスト４４を隣接する支台歯（健常天然歯、インプラント義歯または義歯を含む）の咬合面上に載せることによって、義歯と向かい合う上顎または下顎とが咀嚼咬合するときの負荷を分散できるほか、義歯と隣接する支台歯（健常天然歯、インプラント義歯または義歯を含む）を切削したり破壊して作り直したりする必要がなく、もとの形態と機能を保つことができ、これにより従来の固定式義歯によって起こる問題が解決できる。【選択図】  図６
2006255210.tif 000002
【特許請求の範囲】
【請求項１】
可撤性義歯構造において、内冠体を具えて天然支台歯或いは人工支台歯の支台部上に被せて固定し、及び外冠体を有する義歯を具えて、該義歯の外冠体と該内冠体の間に着脱可能に装着連結する構造を構成し、
義歯の頂部面と外周側面が交わる箇所からレストを延伸し、義歯を該天然支台歯の内冠体上に装着するとき、該義歯のレストが隣接する支台歯の頂部面上に配置されるようにして成ることを特徴とする可撤性義歯構造。
【請求項２】
該義歯は欠損歯部分を補綴するブロック部を設けて成ることを特徴とする請求項１記載の可撤性義歯構造。
【請求項３】
該義歯のレストは隣接する健常歯、インプラント義歯または義歯の咬合面上に配置するようにして成ることを特徴とする請求項１または請求項２記載の可撤性義歯構造。
【請求項４】
該義歯のレストは隣接する健常歯、インプラント義歯または義歯の外形輪郭の定点上に載せるようにして成ることを特徴とする請求項１または請求項２記載の可撤性義歯構造。
【請求項５】
該義歯のレストは側面方向レストとして設け、隣接する健常歯、インプラント義歯または義歯の側面歯壁に載せるようにして成ることを特徴とする請求項１または請求項２記載の可撤性義歯構造。
【発明の詳細な説明】
【技術分野】
【０００１】
本発明は天然歯またはインプラントに適用することができる可撤性義歯構造に関し、特にこの可撤性義歯の片側または両側にレストを設け、治療対象の天然歯またはインプラントに隣接する左側と／または右側の支台歯（健常天然歯、インプラント義歯または義歯を含む）の咬合面上に載せるようにして、これにより隣接する健常天然歯の切削する必要がなくなるかまたは既にあるインプラント義歯または義歯を破壊して作り直す必要がなくなり、更に該義歯はレストを隣接する天然歯、またはインプラント義歯、または義歯の咬合面上に載せて、咀嚼時の咬合圧力を平均して分担できるようにして、該義歯の使用寿命を延長できる可撤性義歯構造に関する。
【背景技術】
【０００２】
現在歯科医師が患者の天然歯の治療において施術する義歯は、患者の天然歯に装着固定したあとは取り外すことができず、固定式義歯の領域に限られている。
図１に示すように、患者に欠損歯のない状況、または図２に示すように患者の天然歯Ｎが既に抜歯されている状況で、公知の固定式義歯の構造は、歯科医師がまず治療が完了した天然支台歯１０の上部を支台部１１の形状に切削してから、該支台部１１の外形に基づいて内部がくぼんで支台部１１の外面と密着することができる金属製の外冠体３０を作製し、最後に外冠体３０の外部を覆って義歯ｔ、ｔ´の外観とする。ここで、外冠体３０を具えた義歯ｔ、ｔ´を天然支台歯１０に装着する前に、該外冠体３０の内周面には先に接着剤Ｃを注入しなければならず、よって義歯ｔ、ｔ´を天然支台歯１０上段部の支台部１１に被せた後、力を加えて義歯ｔ、ｔ´を圧迫して天然支台歯１０の支台部１１と圧着接触を構成し、接着剤Ｃが凝固すると、義歯ｔ、ｔ´は天然支台歯１０の支台部１１に固定装着されて、天然支台歯１０の支台部１１から離脱することはない。
【０００３】
しかしこのような固定式義歯ｔ、ｔ´の欠点は、患者が自分で義歯ｔ、ｔ´を取り外して徹底した洗浄をすることができないことであり、そのためこのような固定式義歯ｔ、ｔ´の根元と隣接する健常天然歯Ｎの間の空隙δ１は閉じられた空間となって洗浄の死角を形成しがちになり、時間が経つと、周囲の歯肉組織が細菌感染を起こして、天然支台歯１０や健常天然歯Ｎが将来抜歯しなければならないといった重大な結果をもたらすことがよくある。
このほか、図２に示す固定式義歯ｔ´は、長期にわたって二本の天然支台歯１０の支台部１１で三本の咬合面積の義歯ｔ´を支持し、且つ患者が自分で取り外して二本の天然支台歯１０を休ませることができないため、二本の天然支台歯１０が三本の咬合力を負担し続けて過度に疲労し、天然支台歯１０の周囲の歯周組織（歯肉、歯周靭帯、歯槽骨を含む）に過労炎症現象が現れ、天然支台歯１０や健常天然歯Ｎが将来抜歯しなければならないといった重大な結果をもたらす。
【特許文献１】特開２００４−３２１６４５号公報
【発明の開示】
【発明が解決しようとする課題】
【０００４】
公知の固定式義歯の上述の欠点を解決する可撤性義歯構造を提供することを課題とする。
【課題を解決するための手段】
【０００５】
本発明は、可撤性義歯構造において、内冠体を具えて天然支台歯或いは人工支台歯の支台部上に被せて固定し、及び外冠体を有する義歯を具えて、該義歯の外冠体と該内冠体の間に着脱可能に装着連結する構造を構成し、義歯の頂部面と外周側面が交わる箇所からレストを延伸し、義歯を該天然支台歯の内冠体上に装着するとき、該義歯のレストが隣接する支台歯の頂部面上に配置されるようにして成ることを特徴とする。
また、該義歯は欠損歯部分を補綴するブロック部を設けて成ることを特徴とする。
該義歯のレストは隣接する健常歯、インプラント義歯または義歯の咬合面上に配置するようにして成ることを特徴とする。
該義歯のレストは隣接する健常歯、インプラント義歯または義歯の外形輪郭の定点上に載せるようにして成ることを特徴とする。
該義歯のレストは側面方向レストとして設け、隣接する健常歯、インプラント義歯または義歯の側面歯壁に載せるようにして成ることを特徴とする。
【０００６】
本発明は、可撤性義歯構造を提供し、内冠体、及び外冠体を有する義歯tを具え、内冠体は天然支台歯の支台部上に固定装着し、天然支台歯の支台部から離脱することはなく、義歯はその外冠体と内冠体との間で着脱可能に装着連結する構造を構成して、天然支台歯上に自由に装着し、自由に取り外すことができるようにする。患者が口腔を清掃するとき、患者は可撤性義歯を取り外すことができるため、可撤性義歯の根元とその周囲の歯肉組織の間の空隙が清掃上の死角とならず、天然支台歯周囲の歯肉組織の細菌感染が抑えられ、よって天然支台歯が感染のために抜歯されることが避けられる。更に、患者が可撤性義歯を取り外せるため、天然支台歯周囲の歯周組織（歯肉、歯周靭帯、歯槽骨を含む）が適当な休息を得られ、天然支台歯が長期にわたって過度に咬合力を負担することによる過労炎症がおこらず、天然支台歯が保護され使用寿命が延長できる。
【０００７】
本発明はまた、可撤性義歯構造を提供し、天然支台歯または人工支台歯に適用することができ、この可撤性義歯の歯冠の頂部の一側または両側から平に延伸してレストを設け、歯冠を天然支台歯または人工支台歯に取り付けると、レストがちょうど左側と／または右側両側の支台歯（健常天然歯、インプラント義歯または義歯を含む）の咬合面上に載り、左右に隣接する健常天然歯、インプラント義歯または義歯を切削する必要が全くないため、左右の隣接する天然（健常）歯はもとの形状と機能を保持することができ、または左右の隣接するインプラント義歯または義歯を破壊して作り直す必要が全くない。
本発明は更に、天然支台歯または人工支台歯に適用できる可撤性義歯構造を提供し、可撤性義歯は咀嚼時に、その歯冠の頂部の一側または両側から平に延伸したレストによって、可撤性義歯に作用する咬合力を、レストが載っている健常歯またはインプラント義歯または義歯の咬合面上に平均して分散するようにして、可撤性義歯の咬合圧力を軽減することができ、またこれにより大幅に可撤性義歯の使用寿命を延長できる。
【０００８】
本発明はまた、天然支台歯または人工支台歯に適用できる可撤性義歯構造を提供し、天然支台歯または人工支台歯上に取り付けた後、可撤性義歯と左右に隣接する健常歯との間の空隙は可撤性義歯のレストにより遮蔽されるため、食物を咬合咀嚼するとき食物がこの空隙に侵入するのを完全に防ぐことができ、生理的な不適感を避けることができる。
【発明の効果】
【０００９】
本発明の可撤性義歯構造は以下の長所がある。
１．本発明の可撤性義歯は義歯のレスト構造で支持維持力を増強し、且つ左右に隣接する健常天然歯の切削が避けられるため、左右の隣接する天然歯はもとの形態と昨日を保つことができ、または左右の隣接するインプラント義歯または義歯も破壊して作り直すことを避けられる。
２．本発明の可撤性義歯は天然歯またはインプラントに適用でき、咬合咀嚼時にこの可撤性義歯上に作用する咬合力は義歯のレストによってレストが載っている支台歯（健常歯、インプラント義歯または義歯）に平均に分散し、可撤性義歯の咬合負荷を軽減でき、また使用寿命を延長し、レストを支持する支台歯（健常歯、インプラント義歯または義歯）にとっては咬合時にのみ力を受け、非咬合時には力がかからず、あるべき生理状態に適合しその健康を確保できる。
３．本発明の可撤性義歯のレストを利用して隣接する健常歯との空隙を遮断し、食物が垂直方向に可撤性義歯と健常歯の間の歯ぎんに圧入するのを完全に防止し、歯ぎんの健康を維持できる。
【発明を実施するための最良の形態】
【００１０】
図３に示すように、本発明の可撤性義歯構造は、天然歯またはインプラントに使用でき、内冠体２０、外冠体３０を有する義歯Ｔを具える。義歯Ｔの外冠体３０と内冠体２０の間に着脱可能に装着連結構造を構成し、これにより義歯Ｔの外冠体３０は内冠体２０上に被せることができ、内冠体２０との間は自由に着脱できる。
【００１１】
本発明の可撤性義歯を、虫歯や病変があって治療が完了した天然支台歯１０に施術するとき、歯科医師はまずこの天然支台歯１０の上段部を支台部１１の形状に削り、更に金属材質で製造した内冠体２０を作製し、義歯Ｔを組み合わせる前に、内冠体２０の内周面内に接着剤Ｃを注入し、天然支台歯１０上段部の支台部１１上に被せ、この両者を圧迫して接触させ、接着剤Ｃが凝固した後、外冠体３０の義歯Ｔを内冠体２０の外周面上に取り付ければ可撤性義歯の装着が完了する。
【００１２】
患者が口腔を清掃する際は、義歯Ｔ全体を天然支台歯１０上の内冠体２０から取り外すことができるため、義歯Ｔの根元と周囲の歯肉組織の間の空隙δ１は開放空間となり、患者が残留食物を清掃するのが容易になり、清掃上の死角となることが避けられ、また周囲の歯肉組織が細菌感染することもないため、天然支台歯１０を保護するとともに使用寿命が延長でき、また天然支台歯１０が細菌感染を起こして抜歯する状況も避けられる。
【００１３】
図４に示すように、患者が虫歯や病変のためにインプラントにした人工支台歯１０´の場合、且つこの人工支台歯１０´に隣接する一側の天然歯Ｎが欠損しているとき、連結義歯Ｔ´を採用することができる。即ち、この連結義歯Ｔ´は歯がない部分を補綴する補綴ブロック３５を設ける。しかし連結義歯Ｔ´を装着する前には、人工支台歯１０´の上段部を支台部１１´に切削しなければならないほか、この人工支台歯１０´に最も近い左右両側の天然支台歯１０の上段部も支台部１１に切削して、金属材質で製造した内冠体２０´を取り付けられるようにする必要がある。歯科医師が連結義歯Ｔ´を取り付けるときは、内冠体２０´の内周面内に接着剤Ｃを注入し、天然支台歯１０の支台部１１と人工支台歯１０´の支台部１１´上に被せ、圧迫して接合し、接着剤Ｃが凝固した後、外冠体３０´と補綴ブロック３５を具えた連結義歯Ｔ´を内冠体２０´の外周面上に装着して、可撤性義歯の取り付けを完成する。
【００１４】
患者が口腔を清掃する際は、連結義歯Ｔ´を天然支台歯１０と人工支台歯１０´の内冠体２０´から取り外すことができるから、可撤性義歯Ｔ´の根元と周囲の歯肉組織の間の空隙δ２を軽易に清掃でき、周囲の歯肉組織の清潔を確保でき、食物が残留して細菌が繁殖したり抜歯しなければならない状況は起こらない。
更に、連結義歯Ｔ´を取り外した後、天然支台歯１０と人工支台歯１０´の三本の周囲の歯周組織（歯肉、歯周靭帯、歯槽骨を含む）が適宜休息できるため、天然支台歯１０と人工支台歯１０´の三本が長期にわたって４本の咬合面積である義歯Ｔ´の咬合力を過度に負担して、疲労による炎症がおこることが避けられ、天然支台歯１０と人工支台歯１０´を保護し、使用寿命を延長できる。
【００１５】
図５と図６に示すように、本発明の可撤性義歯の別の具体的実施例の構造は、内冠体２０、外冠体３０を有する義歯４０を具え、義歯４０の歯冠頂部の一側または両側から平に延伸してレスト４４構造を設け、天然支台歯または人工支台歯に取り付けると、可撤性義歯のレスト４４が治療中の天然歯またはインプラントに隣接する両側の健常天然歯またはインプラント義歯または義歯の咬合面上に載り、隣接する左右両側の健常天然歯またはインプラント義歯または義歯を切削する必要が全くない。
よって、本発明のこの種の可撤性義歯構造によって、治療中の天然歯またはインプラントに隣接する両側の健常天然歯はもとの形状とその機能を保つことができ、その使用範囲は天然歯とインプラントを含む。
【００１６】
図５に示す義歯４０は、この種の可撤性義歯構造の第一実施例であり、義歯４０はは底部面４１、外周面４２及び頂面４３を具え、ここで底部面４１からくぼんで外冠体３０を設置することができるホール４１１を設け、外周面４２の底縁４２１は底部面４１と連続している。頂面４３の外周縁４３１は外周面４２の頂縁４２２と連続し、頂面４３と外周面４２に交わる箇所からレスト４４を平らに延伸する。
【００１７】
図６に示すように、歯科医師が義歯４０を施術するとき、中空の内冠体２０の内部に接着剤Ｃを注入し、天然支台歯１０上段部の歯台部１１上に被せ、圧迫して両者を密着接合させる。接着剤Ｃが凝固した後、外冠体３０を設置してある可撤性義歯４０を内冠体２０の外周面上に被せ、レスト４４を隣接する健常天然歯Ｎの咬合面Ｈ上に直接載せて、可撤性義歯の取り付けを完了する。
【００１８】
以上からわかるように、義歯４０を取り付ける前に、両側の健常天然歯Ｎを削って共同支持体とする必要がないため、この健常天然歯Ｎはもとの形状と機能をそのまま保つことができる。更に、義歯４０を施術後、レスト４４が隣接する健常天然歯Ｎの咬合面Ｈまたは健常天然歯Ｎの外形輪郭の定点Ｇ上に直接載るため、義歯４０が咬合咀嚼するたびに咬合力がレスト４４が載った隣り合う健常天然歯Ｎ上に分散し、義歯４０上の咬合負荷を大幅に軽減できるほか、隣接する健常天然歯Ｎとの空隙を完全に遮断できるため、食物が空隙に垂直方向に挟まることによる生理的な不快感を根絶できる。
【００１９】
図７に示す義歯５０は、本発明のこの種の可撤性義歯構造の第二実施例であり、義歯５０は底部面５１、外周面５２及び頂面５３を具え、底部面５１のうちの一方はくぼんで外冠体３０を装入設置できるホール５１１を設け、別の一方はブロック部５１２に設け、抜歯した欠損部分を補綴するのに用いることができる。外周面５２の底縁５２１は底部面５１と連続する。頂面５３の外周縁５３１と外周面５２の頂縁５２２は連続し、頂面５３と外周面５２の交わる箇所からレストを平らに延伸する。
【００２０】
図８に示すように、義歯５０を施術するときは、先に中空内冠体２０内部に接着剤Ｃを注入し、天然支台歯１０上段部の支台部１１上に被せ、圧迫して密着接合し、接着剤Ｃが凝固した後、外冠体３０を設置してある義歯５０を内冠体２０の外周面上に装着し、レスト５４を隣接する健常天然歯Ｎの頂面上に直接載せて、可撤性義歯の取り付けを完成する。
【００２１】
以上からわかるように、義歯５０を取り付ける前に、両側の健常天然歯Ｎを削って共同支持体とする必要がないため、この健常天然歯Ｎはもとの形状と機能をそのまま保つことができる。
このほか、義歯５０の底部面５１に設けたブロック部５１２は、隣接位置に欠損がある場合補綴物とすることができる。更に、レスト５４が隣接する健常天然歯Ｎの咬合面Ｈまたは健常天然歯Ｎの頂面上に直接載るため、義歯５０が咬合咀嚼するたびに咬合力がレスト５４が載った隣り合う健常天然歯Ｎ上に分散し、義歯５０上の咬合負荷を大幅に軽減できるほか、隣接する健常天然歯Ｎとの空隙を完全に遮断できるため、食物が空隙に垂直方向に挟まることによる生理的な不快感を根絶できる。
【００２２】
図９に示すように、本発明の義歯５０は人工支台歯１０´にも使用でき、同様に義歯５０を施術する前に隣接する健常天然歯Ｎを削る必要がなく、その効果は天然支台歯１０の場合と同様である。
【００２３】
図１０と図１１に示す可撤性義歯４０´は、本発明のこの種の可撤性義歯構造の第三実施例であり、可撤性義歯４０´のレストを側面方向レスト４４´に形成することもでき、可撤性義歯４０´の側面方向レスト４４´が隣接する天然支台歯１０（健常天然歯Ｎ、インプラント義歯１０´、義歯４０´を含む）の側面歯壁Ｋ上に連結するようにし、天然支台歯１０の咬合面Ｈ上に載せる必要がない。
【図面の簡単な説明】
【００２４】
【図１】公知の固定式義歯の構造と患者が欠損がない状態における天然支台歯上への装着固定の断面略図である。
【図２】別の公知の固定式義歯の構造と患者の天然歯Ｎが欠損している状態における天然支台歯上への装着固定の断面略図である。
【図３】本発明の可撤性義歯の構造と天然支台歯上への着脱可能装着の断面略図である。
【図４】本発明の別の可撤性義歯の構造と人工支台歯上への着脱可能装着の断面略図である。
【図５】本発明のレストを具えた可撤性義歯の、第一実施例の構造断面略図である。
【図６】図５に示す可撤性義歯の天然支台歯上への着脱可能装着の断面略図である。
【図７】本発明のレストを具えた可撤性義歯の、第二実施例の構造断面略図である。
【図８】図７に示す可撤性義歯の天然支台歯上への着脱可能装着の断面略図である。
【図９】図７に示す可撤性義歯の人工支台歯上への着脱可能装着の断面略図である。
【図１０】本発明のレストを具えた可撤性義歯の第三実施例とレストが天然支台歯の側面歯壁上に載っている上視図である。
【図１１】図１０のＡ−Ａ断面図である。
【符号の説明】
【００２５】
１０          天然支台歯
１０´        人工支台歯
１１、１１´  支台部
２０、２０´  内冠体
３０、３０´  外冠体
３５          補綴ブロック
４１、５１    底部面
４０、５０、Ｔ、Ｔ´  可撤性義歯
４２、５２    外周面
４３、５３    頂面
４４、５４    レスト
４４´        レスト
４１１、５１１        ホール
４２１、５２１        底縁
４２２、５２２        頂縁
４３１、５３１        外周縁
５１２    ブロック部
Ｃ        接着剤
Ｇ        外形輪郭定点
Ｈ        咬合面
Ｋ        側面歯壁
Ｎ        健常天然歯
ｔ、ｔ´    義歯
δ１、δ２  空隙
【図１】
2006255210.tif 000003
【図２】
2006255210.tif 000004
【図３】
2006255210.tif 000005
【図４】
2006255210.tif 000006
【図５】
2006255210.tif 000007
【図６】
2006255210.tif 000008
【図７】
2006255210.tif 000009
【図８】
2006255210.tif 000010
【図９】
2006255210.tif 000011
【図１０】
2006255210.tif 000012
【図１１】
2006255210.tif 000013